(57)【要約】  浮力を併用することで汲み上げに要する力を軽減できる特徴を損なうことなく、簡単安価な構成によってポンプ内の水を加圧することにより、吐き出し口よりも高所或いは遠方まで液体を放出することができる汲み上げポンプを提供する。  汲み上げポンプ１０は、吸い込み口２３と吐き出し口２４とを有する中空構造の外管２０と、外管内部に往復可能に挿通した中空構造の往復棒３０により構成され、外管内面と往復棒外面との間に通水用の間隙を有している。吸い込み孔４０を有するピストン３４と、その上部に吐き出し弁３８とが設けられた往復棒３０の上下動の際に汲み上げた液体を加圧し、吐き出し口２４に設けた逆流防止弁５０を介して、任意の方向及び高さに揚水する。
2007063759.tif 000002
【特許請求の範囲】
【請求項１】
吸い込み弁を有する吸い込み口を下端側に設けると共に上端側に吐き出し口を設けた中空構造の外管と、該外管内部に往復可能に挿通され下端に吐き出し弁を有するピストンが取り付けられた往復棒により構成され、上記外管の内面と上記往復棒の外面との間に液体を通水する間隙を有する構造のポンプであって、
上記外管の吐き出し口よりも上方に上記往復棒の上下動を許容すると共に上記間隙の上端側を封止するシールを設けたことを特徴とする汲み上げポンプ。
【請求項２】
上記吐き出し口に上記間隙方向への逆流を阻止する逆流防止弁を設けたことを特徴とする請求項１に記載の汲み上げポンプ。
【請求項３】
上記外管内に挿通された上記往復棒は中空構造のパイプまたは低比重棒材により形成され、上記往復棒の内部への上記液体の進入を阻止するように構成して上記往復棒の比重を上記液体よりも小さくした請求項１または２に記載の汲み上げポンプ。
【請求項４】
上記外管の上端にキャップを着脱自在に設け、このキャップの離脱時に上記外管内の上記シールを着脱可能に構成した請求項１、２または３に記載の汲み上げポンプ。
【請求項５】
上記シールが、上記往復棒に外嵌する円環状に設けられ、ポンプ内に圧力がかからない状態で少なくともポンプの軸方向へ実質的に圧縮されないように配され、上記往復棒の外面と、上記外管に一体的に設けられた上端部の内面との間で封止するパッキンであることを特徴とする請求項１、２、３または４に記載の汲み上げポンプ。
【請求項６】
上記パッキンが、複数層に重ね合わされた複数枚の平パッキンによって構成されていることを特徴とする請求項１、２、３、４または５に記載の汲み上げポンプ。
【発明の詳細な説明】
【技術分野】
【０００１】
本発明は、浮力を併用することで汲み上げに要する力を軽減できる汲み上げポンプに関し、より詳細には、加圧した水をポンプの吐き出し口から吐出するように構成した汲み上げポンプに関する。
【背景技術】
【０００２】
井戸、河川、池等の水を汲み上げるための汲み上げポンプは多種類の構成が提案され、実用に供されている。通常使用されている汲み上げポンプは、動力源として電動モータを使用する電動式と、人力を使用する手動式に大別される。電動式の汲み上げポンプは、一般に電源を使用するため、災害時のように停電したときには使用できない問題がある。また、手動式の汲み上げポンプは、汲み上げ時に相当の力を要するため、子供や老人にとっては使用が困難なことが多く、しかも、呼び水を必要とするために準備作業が煩雑であり、揚水高さが小さく使用場所が制限される等の問題があった。【０００３】
そこで、本出願人は、特許第３４５７３０１号（特許文献１）において、吸い込み口と吐き出し口とを有する中空構造の外管と、該外管内部に往復可能に挿通した中空構造の往復棒により構成され、上記外管内面と上記往復棒外面との間に通水用の間隙を有する構造の汲み上げポンプを提案した。この汲み上げポンプは、中空構造の外管の内部に挿通した往復棒を中空構造に構成することにより、往復棒に浮力が生ずることから、この浮力を利用することによって、僅かな力で３０ｍ以上の高さまで汲み上げることができる特徴を有している。また、簡易な構成であることから、汲み上げポンプを軽量化することができるので、容易に携帯できる特徴も有している。【０００４】
すなわち、特許文献１に開示した汲み上げポンプは、中空構造の外管と外管内部を往復可能な大きさの往復棒を内挿させた二重構造をなし、外管は、吸い込み口と、吐き出し口を有し、吸い込み口には吸い込み弁が設けられている。一方、往復棒は、先端にピストンが取り付けられ、ピストンの中央部には吸い込み孔が設けられると共に吐き出し弁が設けられている。上記吸い込み弁と吐き出し弁は、それぞれ往復棒の上下動によって開閉するように構成されている。【０００５】
そして、往復棒を上方に引き上げる行程では、吐き出し弁が閉塞し、ピストンと吸い込み弁との間に形成された空間が減圧されることにより、吸い込み弁が開放されると共に、液体が吸い込み口から吸い上げられる。次に往復棒を押し下げる行程では、ピストンと吸い込み弁２８の間に充満した液体が圧縮されることで吸い込み弁が閉塞すると共に吐き出し弁が開放され、ピストンの上部に液体が汲み上げられて外管と往復棒との間に汲み上げられ、やがて吐き出し口から排出される。【０００６】
【特許文献１】特許第３４５７３０１号公報
【発明の開示】
【発明が解決しようとする課題】
【０００７】
特許文献１による汲み上げポンプは、外管と往復棒との間に汲み上げられた液体が充満しているときに、往復棒を上方に引き上げる行程では、吐き出し弁が閉塞しているので外管と往復棒との間の液体が押し上げられ、溢れた液体が吐き出し口から排出され、往復棒を押し下げる行程では、吐き出し弁が開放して液体が送り込まれることにより外管と往復棒との間の液体が押し上げられて、溢れた液体を吐き出し口から排出される。すなわち、往復棒のピストンの上下動によって外管と往復棒との間の溢れた液体を吐き出し口から排出するようにしているために、汲み上げポンプの内部の水圧が小さいことから、吐き出し口よりも上部の位置まで水を送り出すことができない問題があった。このため、例えば数メートル以上の高い位置まで液体を汲み上げるときには、吐き出し口の位置が高い位置になるように汲み上げポンプ自体を数メートル以上の長さにしなくてはならない。このような長尺の汲み上げポンプは、取り扱いが困難になると共に価格が高騰し、使用者のニーズに応えられない重大な問題があった。【０００８】
本発明は、以上に述べた課題を解決するためになされたものであり、浮力を併用することで汲み上げに要する力を軽減できる特徴を損なうことなく、簡単安価な構成によってポンプ内の水を加圧することにより、吐き出し口よりも高所或いは遠方まで液体を放出することができる汲み上げポンプを提供することにある。
【課題を解決するための手段】
【０００９】
上記の課題を解決するために、請求項１の発明にかかる汲み上げポンプは、
吸い込み弁を有する吸い込み口を下端側に設けると共に上端側に吐き出し口を設けた中空構造の外管と、該外管内部に往復可能に挿通され下端に吐き出し弁を有するピストンが取り付けられた往復棒により構成され、上記外管の内面と上記往復棒の外面との間に液体を通水する間隙を有する構造のポンプであって、
上記外管の吐き出し口よりも上方に上記往復棒の上下動を許容すると共に上記間隙の上端側を封止するシールを設けたことを要旨としている。
また、請求項２に記載の発明は、請求項１の発明において、上記吐き出し口に上記間隙方向への逆流を阻止する逆流防止弁を設けたことを要旨としている。【００１０】
また、請求項３に記載の発明は、請求項１または２の発明において、上記外管内に挿通された上記往復棒は中空構造のパイプまたは低比重棒材により形成され、上記往復棒の内部への上記液体の進入を阻止するように構成して上記往復棒の比重を上記液体よりも小さくしたことを要旨としている。
また、請求項４に記載の発明は、請求項１、２または３の発明において、上記外管の上端にキャップを着脱自在に設け、このキャップの離脱時に上記外管内の上記シールを着脱可能に構成したことを要旨としている。【００１１】
また、請求項５に記載の発明は、請求項１、２、３または４の発明において、上記シールが、上記往復棒に外嵌する円環状に設けられ、ポンプ内に圧力がかからない状態で少なくともポンプの軸方向へ実質的に圧縮されないように配され、上記往復棒の外面と、上記外管に一体的に設けられた上端部の内面との間で封止するパッキンであることを特徴とする。
また、請求項６に記載の発明は、請求項１、２、３、４または５の発明において、上記パッキンが、複数層に重ね合わされた複数枚の平パッキンによって構成されていることを特徴とする。
【発明の効果】
【００１２】
本発明による汲み上げポンプによれば、人力によってポンプ内に汲み上げた水、油、調味料、薬液等の各種の液体（以下、単に液体と称す）に圧力をかけることが可能になり、吐き出し口よりも高所に汲み上げること、或いは遠方に放出することが可能になる。さらに圧力を必要とする器具を装着しての使用も可能になる。【００１３】
また、外管内に挿通される往復棒の比重を、汲み上げる液体の比重よりも小さくすることにより、往復棒に浮力を発生させることができ、人力による汲み上げ操作が容易となり、揚水効率をさらに高めることが可能となる。【００１４】
また、外管の上部に着脱自在なキャップを設け、シールを着脱可能に構成することにより、使用者が希望する汲み上げ条件により、シールを離脱したときには従来の汲み上げポンプのように僅かな力で水を吐き出し口の高さまで汲み上げることができ、また、シールを装着したときには液体を加圧して吐き出し口から高所に液体を汲み上げることや、圧力を有する水を必要とする装置に装着することができ、同じポンプでありながら用途に応じて容易に使い分けることが可能になる。
【図面の簡単な説明】
【００１５】
【図１】本発明による加圧可能な汲み上げポンプの構造を示す断面図である。
【図２】（Ａ）（Ｂ）は、本発明による汲み上げポンプの動作状態を示す動作説明図である。
【図３】外管内のシールを着脱可能に構成した第１の実施例を示す要部断面図である。
【図４】外管内のシールを着脱可能に構成した第２の実施例を示す要部断面図である。
【図５】外管内のシールを着脱可能に構成した第３の実施例を示す要部断面図である。
【図６】シールの他の形態例を示す要部断面図である。
【符号の説明】
【００１６】
１０  ポンプ
２０  外管
２３  吸い込み口
２４  吐き出し口
２６  挿入口
２７  シール
２７Ａ  パッキン
２７ａ  平パッキン
２８  吸い込み弁
２９  シール交換キャップ
３０  往復棒
３３  ハンドル
３４  ピストン
３６  取り付け具
３８  吐き出し弁
４０  吸い込み孔
５０  逆流防止弁
５１  放水パイプ
５２  ノズル
【発明を実施するための最良の形態】
【００１７】
汲み上げポンプは、吸い込み弁を有する吸い込み口を下端側に設けると共に上端側に吐き出し口を設けた中空構造の外管と、該外管内部に往復可能に挿通され下端に吐き出し弁を有するピストンが取り付けられた往復棒により構成され、上記外管の内面と上記往復棒の外面との間に液体を通水する間隙を有する構造となっている。このポンプの外管の吐き出し口よりも上方には、上記往復棒の上下動を許容すると共に上記間隙の上端側を封止するシールが設けられる。
さらに、上記吐き出し口には、液体が上記間隙方向へ逆流することを阻止するための逆流防止弁が設けられる。【００１８】
また、上記外管内に挿通された上記往復棒は、中空構造のパイプや低比重棒材、或いは内部に低比重材を充填した中空パイプにより形成され、上記往復棒の内部への上記液体の進入を阻止するように構成され、上記往復棒の比重を上記液体よりも小さくし、上記往復棒に浮力を発生させる。
さらに、上記外管の上端にはキャップを着脱自在に設け、このキャップを離脱したときに上記外管内の上記シールを着脱可能に構成する。【００１９】
また、上記シールは、上記往復棒に外嵌する円環状に設けられ、ポンプ内に圧力がかからない状態で少なくともポンプの軸方向へ実質的に圧縮されないように配され、上記往復棒の外面と、上記外管に一体的に設けられた上端部の内面との間で封止するパッキンであるように構成できる。
さらに、上記パッキンは、複数層に重ね合わされた複数枚の平パッキンによって構成できる。
【実施例１】
【００２０】
本発明に係る汲み上げポンプの実施例を図面に基づいて詳細に説明する。図１は、外管内部で加圧することが可能な汲み上げポンプの構造を示す断面図である。汲み上げポンプ１０は、中空構造の外管２０と外管内部を往復可能な大きさの往復棒３０を内挿させた二重構造をなしている。外管２０は、吸い込み口２３と、吐き出し口２４と、往復棒の挿入口２６を有し、吸い込み口２３には吸い込み弁２８が、吸い込み孔４０には吐き出し弁３８が設けられている。【００２１】
この汲み上げポンプ１０における往復棒３０は、下端側の先端に取り付け具３６を介してピストン３４が取り付けられている。ピストン３４は円盤状に形成され、外管２０の内部を往復する際の動作を円滑にするために、クリアランスとなる隙間を確保させるようにピストン径は外管２０の内径よりも僅かに小さく設定されている。また、ピストン３４の中央部には、吐き出し弁３８の大きさよりも僅かに小さな吸い込み孔４０が設けられている。取り付け具３６はピストン３４を支持するものであるが、吸い込み孔４０を通過した液体が吐き出し弁を通過し、さらに外管２０と往復棒３０との間の空隙部へと連通させるための機能を有している。また、外管２０の吐き出し口２４側に位置する往復棒３０の上端側には、往復棒３０を往復動操作するためのハンドル３３が設けられている。【００２２】
上記往復棒３０は、中空構造のパイプや低比重棒材、或いは内部に低比重材を充填した中空パイプにより形成され、しかも、往復棒３０の内部へは、液体の進入を阻止するように構成されている。因みに、往復棒３０の比重は０．９〜０．３程度に設定することが望ましい。この結果、往復棒３０の比重が液体よりも小さいことから、往復棒３０には浮力が発生する。なお、図１においては、往復棒３０の下端側先端は開口され、上端側を閉塞させている。通常の使用状態では、図１に示すように、往復棒３０の下端側先端を開口しても、液体の圧力によって多少内部に進入する程度であるが、完全に阻止する場合は往復棒３０の下端側先端を適宜の手段によって閉塞することが望ましい。また、往復棒３０に栓を設ける等の手段により中空内の一部まで液体が入るようにして、浮力を調整するようにしても良く、上記栓よりも上方においては、往復棒３０の内部に液体の進入を阻止するように構成しても良い。【００２３】
一方、外管２０の上端側には往復棒３０を挿入するための挿入口２６が設けられ、この挿入口２６の近傍には、例えばＯリング等の合成ゴムや合成樹脂等の素材によって形成されたシール２７が装着されている。シール２７は円環状に形成され、中央には往復棒３０の上下動を許容する内径に設定されている。これにより、外管２０と往復棒３０との間の空隙部の上端側をほぼ密閉させている。【００２４】
この外管２０の上端側の挿入口２６には、往復棒３０を挿通する透孔が形成されたキャップ２９が取り付けられている。キャップ２９は着脱自在に構成されている。これによって、キャップ２９を外管２０から離脱したときには挿入口２６を開放させることができ、挿入口２６近傍のシール２７を着脱したり交換することができるようにしている。【００２５】
また、吐き出し口２４には、逆流防止弁５０が設けられ、吐き出し口２４から吐出した液体が、外管２０と往復棒３０との間の間隙へ逆流しない構造にしている。さらに逆流防止弁５０の外側にはノズル５２を固定し、口径を絞り込むことにより流速を増加させることにしている。これにより、ノズル５２に取り付けた放水パイプ５１を、水平方向や垂直方向を問わず任意の方向に向けることにより、加速した液体を吐水させることができる。
なお、逆流防止弁５０は、放水パイプ５１等の液体が供給される側に設けてもよい。さらに、吐き出し口２４や放水パイプ５１等の配管側に開閉調整弁を設け、液体圧を調整してもよい。【００２６】
次に、汲み上げポンプ１０の動作について図２を参照しながら説明する。汲み上げポンプ１０における吸い込み弁２８と吐き出し弁３８は、それぞれ往復棒３０の上下動によって開閉するように構成されている。この往復棒３０を上方に引き上げる行程では、吐き出し弁３８が閉塞し、ピストン３４と吸い込み弁２８との間に形成された空間が減圧されることにより、吸い込み弁２８が開放されるとともに、水、油、調味料、薬液等の液体が吸い込み口２３から吸い上げられる。続いて往復棒３０を押し下げる行程では、ピストン３４と吸い込み弁２８の間に充満した液体が圧縮されることで吸い込み弁２８が閉塞すると共に吐き出し弁３８が開放され、ピストン３４の上部に液体が汲み上げられる。起動初期には往復棒３０を数回上下動させることにより、取り付け具３６を通過した液体が、外管２０と往復棒３０との間の空隙部に汲み上げられ、やがて空隙部内に液体が充満する。【００２７】
この状態から往復棒３０を押し下げると、図２（Ａ）に示すように、外管２０の吸い込み弁２８が閉塞してピストン３４と吸い込み弁２８の間に充満した液体が圧縮されると同時に、往復棒３０の吐き出し弁３８が開放して液体が外管２０と往復棒３０との間の空隙部に移動する。このとき、外管２０の上端側にキャップ２９が取り付けられ、しかも空隙部の隙間が小さく形成されているので、空隙部に移動した液体が圧縮されることにより加圧される。さらに、液体の圧力により吐き出し口２４に設けられた逆流防止弁５０が開放する。この結果、液体は吐き出し口２４から勢いよく放出し、口径が絞り込まれたノズル５２により液体の流速が増加して、ノズル５２に取り付けた放水パイプ５１から加速した液体が吐出する。【００２８】
その後、往復棒３０を上方に引き上げると、図２（Ｂ）に示すように、ピストン３４と吸い込み弁２８の間が減圧状態になるため、外管２０の吸い込み弁２８が開放して、吸い込み弁２８から液体が吸い上げられ、ピストン３４と吸い込み弁２８の間に液体が充満する。また、往復棒３０の引き上げによって、空隙部内に残留した液体が吐き出し口２４に持ち上げられ、逆流防止弁５０が僅かに開放して点線で示すように吐き出し口２４から流出する。以上のように、往復棒３０を上下動させることにより、液体を汲み上げると共に、加圧された液体を吐き出し口２４から吐出させることができる。【００２９】
実験の結果、吐き出し口２４の位置における水圧は、最大時で１０ｋｇ以上に達することが確認された。また、放水パイプ５１を垂直方向に延長した場合、２０ｍ以上の高所まで揚水することが確認された。なお、汲み上げポンプ１０における外管２０の内径Ｄと、往復棒３０の外径ｄとの比率は、０．９５Ｄ≧ｄ≧０．３Ｄ  に設定している。しかし、液体を高所または遠方まで放出するためには、液体の加圧力を大きくする必要がある。この場合には、上記比率を０．６〜０．９５の範囲に設定することにより空隙部の容積を小さくして、空隙部内の圧力を大きくすることにより可能となる。また、さらに高所に揚水する場合には、ノズル５２に取り付けた放水パイプ５１の中間部に１個以上の逆流防止弁を設けることが望ましい。【００３０】
上述した構成からなる汲み上げポンプ１０のハンドル３３を上下に往復させて往復棒３０を往復動させると、液体が吸い込み口２３から吸い上げられるにしたがって、ピストン３４と吐き出し弁３８に与える液体の重量が増加する。ところが、往復棒３０の比重が液体よりも小さく構成されているので、往復棒３０が液体の中に浸漬されることによって浮力が生ずる。従って、この浮力が汲み上げに要するハンドル３３の引き上げ力を軽減させることができる。【００３１】
このような汲み上げポンプは、汲み上げる液体の静水位が、少なくとも吸い込み弁２８よりも上部にあれば汲み上げが可能となる。このため、上記汲み上げポンプは、呼び水を不要であり、吸い込み弁２８が液体中に浸漬するだけで汲み上げることが可能である。従って、使用場所まで携帯したときに、何らの事前準備をすることなく、直接使用可能であり、液体の汲み上げ作業を迅速にすることができる。
【実施例２】
【００３２】
図３乃至図５は、外管内のシールを着脱可能に構成した実施例を示している。図３は、その第１の実施例を示し、外管２０の上端には、シール２７を内設した着脱可能なキャップ２９が設けられている。すなわち、キャップ２９は略カップ状に形成され、底部中央には往復棒３０を挿通する透孔が形成され、開口側内面にはねじ部が形成されている。さらに、キャップ２９の内面には、前述したシール２７の外面を固着することによって内設されている。一方、外管２０の上端の内側には、外周にねじ部が形成された連結部材２２が設けられている。そして、連結部材２２のねじ部にキャップ２９のねじ部を螺合することによって連結されるように構成されている。さらに、往復棒３０の上端には、上方にねじ部が形成された連結部材３２が嵌着され、この連結部材３２には、ハンドル３３を取り付けた保持具３４を螺合している。この構成により、ハンドル３３自体も着脱可能にしている。そして、キャップ２９を設けるときには、ハンドル３３を離脱し、キャップ２９の透孔に往復棒３０の上端を挿通した後、連結部材２２のねじ部に螺合して装着し、さらに往復棒３０の上端にハンドル３３を取り付けることにより装着することができる。【００３３】
図４は、第２の実施例を示し、図３と相違する点は、外管２０とキャップ２９との連結構造にある。すなわち、外管２０の上端外周及びキャップ２９の開口側内面には各々ねじ部が形成され、さらに、円筒状の連結部材２２Ａの内周にはねじ部が形成されている。そして、外管２０のねじ部とキャップ２９のねじ部に連結部材２２Ａのねじ部を螺合することにより連結される。【００３４】
図５は、第３の実施例を示している。すなわち、外管２０の上端側の内径を大きく形成し、その内面にはねじ部が形成されている。また、キャップ２９の開口側外面にはねじ部が形成されている。そして、キャップ２９のねじ部を外管２０のねじ部に螺合することにより両者が連結される。【００３５】
このように、外管２０の上端に着脱自在なキャップ２９を設け、シール２７を着脱可能に構成することにより、使用者が希望する汲み上げ条件を選択することが可能となる。汲み上げポンプ１０の吐き出し口２４よりも高所または遠方に液体を放出するときには、上述したように、シール２７を装着し、ポンプ１０の内部を加圧することが有利となり、吐き出し口２４よりも低い位置に放出するときには、シール２７を離脱させ、ポンプ１０の内部に圧力を掛けないようにすることが有利となる。従って、使用目的や状況に応じてシール２７を着脱することにより、同じポンプでありながら用途に応じて容易に使い分けることが可能になる。
【実施例３】
【００３６】
次に、図６に基づいて、シールの他の形態例について説明する。
図６に示すシールは、往復棒３０に外嵌する円環状に設けられ、ポンプ１０内に圧力がかからない状態で少なくともポンプ１０の軸方向へ実質的に圧縮されないように配され、往復棒３０の外面と、外管２０に一体的に設けられた上端部２１の内面との間で封止するパッキン２７Ａによって構成されている。
また、このパッキン２７Ａは、複数層に重ね合わされた複数枚の平パッキンによって構成することができる。本形態例のパッキン２７Ａは、２枚のゴム平パッキン２７ａ、２７ａが重ね合わされて構成されている。この形態で、少なくとも１５ｋｇ以上の水圧に耐えて水密できることが確認されている。【００３７】
さらに詳細には、図６に示すように、パッキン２７Ａは、その内径が往復棒３０の外径と実質的に同一に設定されている。このため、往復棒３０は、摺動抵抗がほとんどなく、スムースに動作することができる。また、その外径が外管２０の一部を構成する継手２２Ｂの内径よりも小径に設定されている。そして、このパッキン２７Ａは、固体の部材によって上下方向から挟圧されない状態に外管２０の内部に配されている。
これによって、パッキン２７Ａは、ポンプ１０内に圧力がかからない状態において、ポンプ１０の軸方向へ所定の僅かな範囲で移動できる状態となっている。つまり、パッキン２７Ａは、ポンプ１０内に圧力がかからない状態で、ポンプ１０の軸方向及びポンプ１０の軸に直交する方向のどちらの方向へも、実質的に圧縮されないように配されている。
このため、パッキン２７Ａの少なくとも下面及び外周面へ、液体圧が直接的に作用できる構造となっている。なお、このパッキン２７Ａの下面及び外周面とは、上端部２１の内面と往復棒３０の外面に接触しない面のことである。【００３８】
以上に説明したシールによれば、往復棒３０の外面と、上端部２１の内面との間における水密がなされることで、実質的に往復棒３０と外管２０との間が水密される。ここで、上端部２１とは、外管２０に一体的に設けられた部分であって、本形態例ではキャップ２９Ａによって設けられている。そのキャップ２９Ａの内端面部が、上端部２１の内面となっている。このキャップ２９Ａは、前記継手２２Ｂの一方に形成された雌ねじ部にねじ込まれて、外管２０に固定・一体化されており、シールテープを介して水密されている。なお、継手２２Ｂの他方は、長尺の管材２０ａが圧入されて接続されており、その継手２２Ｂと管材２０ａとによって、外管２０が構成されている。
また、６０は案内スリーブであり、継手２２Ｂから管材２０ａにかけて外管２０の内部へ挿入されるように筒状に設けられ、その内部に往復棒３０が挿通されている。上端鍔部６０ａが、継手２２Ｂの段部に係止するように設けられ、これによって配設位置が規制されている。この案内スリーブ６０によれば、往復棒３０の動作を案内すると共に、上端鍔部６０ａの上面がパッキン２７Ａの下面に当接可能に設けられ、そのパッキン２７Ａの変形や移動を規制するように作用する。【００３９】
以上のようなパッキン２７Ａによって構成されたシールによれば、水密を好適に確保できると共に、往復棒３０の動きを妨げない。特に２枚のゴム平パッキン２７ａ、２７ａによるパッキン２７Ａによれば、往復棒３０の動きを妨げないで、より高圧に耐えることができる。これは、パッキン２７Ａが、ポンプ１０内の圧力上昇を受けて好適に圧縮変形され、往復棒３０の外周面にバランスをとって接触できるためと考えられる。これにより、往復棒３０の摺動抵抗(摩擦抵抗)を感じることなく、水等の液体を吐き出し口２４から高圧状態で吐出させることができる。
これに対して、Ｏリングや断面Ｖ字状のパッキン等のシール材による従来のシール方法では、水密を確実にすると往復棒３０が動かなくなることがある。また、反対に往復棒３０の動きを確保すると水密ができないことがある。例えば、Ｏリングにおいては、ポンプ内に圧力がかからない状態でも、最大の圧力に合わせて圧縮された状態に配設されるため、初期段階から往復棒３０の摺動抵抗が大きい。また、断面Ｖ字状のパッキンにおいては、ポンプ内にかかる圧力の上昇に伴って、水密のための接触圧力が増大し、往復棒３０の摺動抵抗が次第に大きくなる。【００４０】
なお、本発明にかかる汲み上げポンプは、上記実施例に限定されるものではなく、本発明を逸脱しない範囲で適宜に変更可能である。例えば、ピストンに設けられる吐き出し弁は、舌片状の弁の他に、ガラス或いは金属等の素材からなるボールに変更しても良い。また、汲み上げポンプの外管、延長外管、往復棒、及び延長往復棒の長さ、外径寸法、素材は種々に変更することは勿論である。
【産業上の利用可能性】
【００４１】
本発明は、井戸、河川、池等の水、或いは、油や薬液等を汲み上げるための汲み上げポンプに適用されるほか、家屋、ビルなどの建築物の上部階への送水、船底からの排水などへの利用を可能にする。
また、本発明にかかるシール構造及びそのシール構造を用いたポンプは、液体用に限定されず、空気等の気密を要する気体用としても利用できる。つまり、高いシール性能と、往復棒等の動作について低い摺動抵抗が要求される分野で利用できる。
【図１】
2007063759.tif 000003
【図２】
2007063759.tif 000004
【図３】
2007063759.tif 000005
【図４】
2007063759.tif 000006
【図５】
2007063759.tif 000007
【図６】
2007063759.tif 000008
【国際調査報告】
2007063759.tif 000009
2007063759.tif 000010
2007063759.tif 000011
2007063759.tif 000012